【事件の表示】
　特許第２７６９１１１号「マンホ−ルと導管の接続等に用いる継手及びその圧着治具」の請求項１、３に係る特許に対する特許異議の申立てについて、次のとおり決定する。
【結　論】
　訂正を認める。
　特許第２７６９１１１号の請求項１、３に係る特許を維持する。
【理　由】
第１　手続の経緯
  特許出願　　　　　　平成６年７月６日
  特許権設定登録　　　平成１０年４月１０日
　　　　　（特許第２７６９１１１号）
　特許異議の申立て（異議申立人早川ゴム株式会社）
　　　　　　　　　　　平成１０年１２月２５日
　取消理由通知　　　　平成１１年５月１０日
　意見書及び訂正請求　平成１１年８月３日
　訂正拒絶理由通知　　平成１１年９月３０日
　意見書　　　　　　　平成１１年１２月１７日
　　
第２　訂正請求について
　特許権者が求めている訂正の内容は、以下のとおりである。
Ａ　特許請求の範囲の欄
　「【請求項１】同心円状の内筒４と外筒５の両者が一方の端部で結合されているゴム又は合成樹脂のパッキングと、該パッキングの内筒４と外筒５の間に挿入される切欠部を有する支持リング７とから成り、該支持リング７を拡開することによりパッキングの外筒５がマンホ−ル等の口部３に固定されることを特徴とするマンホ−ルと導管の接続などに用いる継手。
　【請求項２】一方の部材１３のねじ部１４が他方の部材１３に挿入されて結合している２つの部材１３，１３と、その部材の各々に存する外方に傾斜した脚部１６，１６とから成り、前記ねじ部１４に螺合したナット１５を廻すことにより、一対の脚部が左右方向に移動することを特徴とするマンホ−ルと導管等の接続に用いる継手の圧着治具。
　【請求項３】パッキングの内筒４と外筒５との間に挿入されている切欠部８を有する支持リング７を拡開し、その切欠部８にくさび片１７を挟持させることにより、パッキングをマンホ−ル等の口部に固定することを特徴とする請求項１記載のマンホ−ルと導管の接続等に用いる継手。」
を、
　「【請求項１】導管を内装する内筒４とマンホ−ル等の口部に圧着される外筒５とが同心円状で、かつ、マンホール等の内部に向く側の端部で結合されているゴム又は合成樹脂のパッキングと、該パッキングの内筒４と外筒５の間に挿入される切欠部を有する支持リング７とから成り、該支持リング７を拡開することによりパッキングの外筒５がマンホ−ル等の口部３に固定されることを特徴とするマンホ−ルと導管の接続などに用いる継手。
　【請求項２】一方の部材１３のねじ部１４が他方の部材１３に挿入されて結合している２つの部材１３，１３と、その部材の各々に存する外方に傾斜した脚部１６，１６とから成り、前記ねじ部１４に螺合したナット１５を廻すことにより、一対の脚部が左右方向に移動することを特徴とするマンホ−ルと導管等の接続に用いる継手の圧着治具。
　【請求項３】パッキングの内筒４と外筒５との間に挿入されている切欠部８を有する支持リング７を拡開し、その切欠部８にくさび片１７を挟持させることにより、パッキングをマンホ−ル等の口部に固定することを特徴とする請求項１記載のマンホ−ルと導管の接続等に用いる継手。」
と訂正する。
　　
Ｂ　発明の詳細な説明の欄
　本件明細書の、「【０００６】」の「同心円状に重合している内筒と外筒の両者が一方の端部で結合している」を、「導管を内装する内筒とマンホ−ル等の口部に圧着される外筒とが同心円状で、かつ、マンホール等の内部に向く側の端部で結合されている」と訂正する。
　　
第３　訂正の適否について
Ａ　特許請求の範囲の訂正事項について
　この訂正は、願書に添付した明細書の特許請求の範囲の請求項１における、パッキングが「同心円状に重合している内筒と外筒の両者が一方の端部で結合している」という構成を、「導管を内装する内筒とマンホ−ル等の口部に圧着される外筒とが同心円状で、かつ、マンホール等の内部に向く側の端部で結合されている」という構成にするものであり、特許請求の範囲の減縮を目的とするものである。
　そして、この訂正に関連する記載として、本件明細書の、【００１３】、【００１４】、及び図面の第２図の記載を参照すると、この訂正は、願書に添付した明細書又は図面に記載した事項の範囲内の訂正である。
　さらに、この訂正は、実質上特許請求の範囲を拡張し、又は変更するものではない。
　　
Ｂ　発明の詳細な説明の訂正事項について
　前記訂正は、特許請求の範囲の訂正に伴う訂正であって、明りょうでない記載の釈明にあたり、そして、願書に添付した明細書又は図面に記載した事項の範囲内の訂正であり、さらに、実質上特許請求の範囲を拡張し、又は変更するものではない。
　　
Ｃ　独立特許要件について
１、当審で通知した取消理由通知で引用した（本件出願前日本国内において頒布された）刊行物
　刊行物１、特開平５−１８４９０号公報
　刊行物２、実願平４−７０００３号（実開平６−３０２３３号）のＣＤーＲＯＭ
　刊行物３、特開平４−２６６６８８号公報
　　
　刊行物１は、「マンホールの分岐管接続用ゴム筒の固定リング」の発明であって、
　「【０００２】本発明は、前記ゴム筒の基部を窓口の縁部に押圧して密閉固定するために用いるマンホールの分岐管接続用ゴム筒の固定リングに関するものである。」（第２頁左欄第２４行〜第２６行）、
　「【００１１】しかして、主体片１，１の端部１ａ，１ａ間に操作材２を介在させて、操作材２の操作基板９に突設したボルト杆１１を、操作基板９に重ね合わせた主体片１，１の前記端部１ａ，１ａ間に位置させ、該ボルト杆１１に組付けた押圧片１２の先端部片１６を受圧部片６に設けた透孔６ａに係止させるようにして主体片１と操作材２を互いに組付けて実施例の固定リングＡを構成するのである。
【００１２】図４において、８０はマンホールを示し、８１はマンホール８０の壁面８０ａに設けた窓口８１で、この窓口８１にゴム筒Ｂの基部Ｂａを係合し、該基部Ｂａの内面に凹設した係合溝１８に固定リングＡを係合して締付ナット１３を操作すると、押圧片１２は中央部片１４において押圧されることにより、押圧片１２の傾斜部片１５は受圧部片６を押圧し、この結果、主体片１の端部１ａ，１ａ間が広がり、固定リングＡの外径が拡大し、この拡大によってゴム筒Ｂの基部Ｂａは窓口８１の内縁に押圧され、ゴム筒Ｂはマンホール８０に固定されるのである。この際、操作基板９の前記中央部片７に設けた係合切欠１０の切り込み深さを前記の締付ナット１３の操作により操作基板９上を移動する主体片１の移動量分と同等以上にしておくと、主体片の外周面と操作材の外周面とに段差が生ぜず、実施例は同等以上にしてある。
【００１３】なお、図示１８は分岐管を示し、分岐管Ｃはゴム筒Ｂの先部Ｂｂに係合して接続されている。
【００１４】【発明の効果】本発明は上述の構成であるから、固定リング部全周に亘ってゴム筒が密着され、従って、水漏れの恐れがない。また、取付けにあたっては、スパナ一つで締付作業が行えるので油圧装置等の特別な道具を必要とせず、輸送面においては、固定リングが容易に分解できるので荷姿がコンパクトとなる等、実用性大なるものがある。」（第２頁右欄第３６行〜第３頁右欄第３行）が記載されている。
　　
　刊行物２は、「マンホールと管渠間の継手用ゴム輪の締付バンド金具」の発明であって、
　「【００１０】つなぎ材13を挟んで内側部片14と外側部片15とを一体に形成してなる倒置Ｕ形の継手用ゴム輪16はマンホール17に接続する管渠18の端部外面に内側部片を外嵌し、この管渠18の端部方向に向いた内外部片14，15間の開口側の隙間から段拡ヘッド部３の六角穴２が外側を向くようにしてバンド仮止め状態の締付バンド金具を挿入し内側部片14の外周に嵌当てし、六角レンチＬをもってバンド巻取軸６を回転させるのである。バンド体12の両端はバンド巻取軸６に巻取られて次第に径をすぼめてゆきやがて内側部片14の全周を締付けて内側部片14を管渠18に隙間なく圧接することとなる。突起11とラチェット条４の噛合にてバンド巻取軸６の逆転を規制しているので決して弛まないこととなる。」（第６頁第１４行〜第２３行）が記載されている。
　　
　刊行物３は、「スロット付き楔カムを有する改良バンド」の発明であって、
　「【００２２】図６は締めつけバンド２３の端部分２７、２８の中間に位置する組付け機構３０示している。図示のように、端部分２８は楔フォロア３１を固定している。リップ２５、２６がバンド２３と平行に圧延加工され、それにより軸部分３３に係合するチャンネル部分８０、８１を形成している。ヘッド部分３４の基部はチャンネル部分８０、８１の端部に当接している。同様なチャンネル部分８２、８３は、ヘッド部分３７がこれらのチャンネル８２、８３の端部に当接するように、楔フォロア３２の軸部分３６を固定している。
【００２３】組立て形態では、末広縁部５０、５１のＵ字形チャンネルは楔フォロア３２、３１の末広縁部５５、５４の上に位置している。同様に、縁部６３、６４の末広Ｕ字形チャンネルは縁部フォロア３１、３２の夫々の末広縁部分６５、６６に係合してこれらを固定している。ボルト４６はサドル４３、４４を通って延び、駆動楔部４０、４１間の空間を横切り、次いでサドル７１、７２を通っている。ボルト４６を締めつけ方向に回わすと、このボルトは駆動楔部４１の孔にあるナット９０に作用する。孔の縁部にあるタブ９１、９２がナット９０を回転しないようにしている。駆動楔部４０、４１は互いおよび中心線３６に向かって移動する。これにより力を楔フォロア３１、３２に加えて端部分２７、２８を軸線３６に沿って分離する。力がヘッド部分３４、３７の基部からチャンネル部分８０、８１、８２、８３の端部に加えられてかかる変位を行う。
・・・
【００２５】図５に仮想で示すように、タブ１００が端部分２７、２８間の隙間のところでバンド２３の外面の上に位置する。このタブ１００により、コネクタブーツの周囲全体にわたって圧力を均等に加えることができる。　従って、本発明によれば、簡単で製造費が安価な下水管コネクタの場合にシールを行うためのバンド用伸張機構が開示される。」（第５頁第４１行〜第６頁第３９行）が記載されている。
　　
２、訂正後の本件請求項１及び３に係る発明と、刊行物との対比・判断
　訂正後の本件請求項１に係る発明と、刊行物１に記載された発明とを対比すると、両者は、
　「導管を内装する内筒とマンホ−ル等の口部に圧着される外筒とが同心円状で、結合されているゴム又は合成樹脂のパッキングと、該パッキングの内筒に挿入される切欠部を有する支持リングとから成り、該支持リングを拡開することによりパッキングの外筒がマンホ−ル等の口部に固定されることを特徴とするマンホ−ルと導管の接続などに用いる継手。」
の点で一致しており、次の点で相違している。
　訂正後の本件請求項１に係る発明では、内筒と外筒とが「マンホール等の内部に向く側の端部で結合されている」パッキングであり、「パッキングの内筒と外筒の間に挿入される」支持リングを有するのに対し、刊行物１に記載された発明ではこの点を備えていない。
　そこで相違点について検討すると、この相違点により、訂正後の本件請求項１に係る発明では、内筒と外筒とをマンホールの外側から固定するのに対し、刊行物１のパッキングは、分岐管Ｃはマンホール８０の外側から固定し、固定リングＡは内側から固定することになり、明らかに相違している。又、刊行物１には、この相違点を示唆するものもみられない。
　次に、刊行物２に記載された発明は、バンド体１２の形状は似ているが、外側部片１５には金属リング１５ｂが埋込まれており、シール材１９を充填して接続するもので、支持リングで固定するものではない。
　次に、刊行物３に記載された発明は、締めつけバンド２３、環状締めつけバンド２４、駆動楔部４０、４１を備えているが、コネクタブーツ２０の構造は、刊行物１と同様の構造で、訂正後の本件請求項１に係る発明のパッキングとは相違する。
　そして、全体として、訂正後の本件請求項１に係る発明は、この構成により明細書記載の所定の作用効果を奏するものと認められる。
　よって、訂正後の本件請求項１に係る発明は、刊行物１に記載された発明に基いて本件特許出願前に当業者が容易に発明をすることができた発明であるとすることはできない。
　さらに、訂正後の本件請求項３に係る発明は、訂正後の本件請求項１に係る発明を引用しており、訂正後の本件請求項１に係る発明についての対比・判断がそのまま適用できる。
　従って、訂正後の本件請求項１及び３に係る発明は、本件特許出願の際独立して特許を受けることができない発明とすることはできない。
　　
Ｄ　訂正請求の適否についてのまとめ
　前記訂正請求は、特許法等の一部を改正する法律（平成６年法律第１１６号）附則第６条第１項の規定によりなお従前の例によるとされる、特許法第１２０条の４第２項及び第３項で準用する特許法第１２６条第２項、第３項及び第４項の規定に適合するので、本件訂正請求による訂正を認める。
　　
第４　特許異議申立てについて
Ａ　特許異議申立ての理由の概要
　特許異議申立人は、
　証拠方法として、本件出願前日本国内において頒布された刊行物である
　甲第１号証、特開平５−１８４９０号公報
　甲第２号証、実願平３−６７６７１号（実開平５−１４２４０号）のマイクロフイルム
　甲第３号証、実願平４−１２８５４号（実開平５−６４２２８号）のマイクロフイルム
　甲第４号証、実願平４−７０００３号（実開平６−３０２３３号）のＣＤーＲＯＭ
　甲第５号証、特開平４−２６６６８８号公報
を提出し、
　「本件請求項１及び３に係る発明は、本件出願前日本国内において頒布された甲第１号証に記載された発明であるから、本件請求項１及び３に係る発明の特許は特許法第２９条第１項第３号の規定に違反してされたものである。
　又は、本件請求項１及び３に係る発明は、本件出願前日本国内において頒布された甲第１号証に記載された発明に基いて、容易に発明をすることができた発明であるから、本件請求項１及び３に係る発明の特許は特許法第２９条第２項の規定に違反してされたものである。」
という理由で、本件請求項１及び３に係る発明の特許を取り消すべき旨主張している。
　　
Ｂ　甲第１号証〜甲第５号証に記載された発明
　甲第１、４、５号証は、それぞれ、先の取消理由通知で、刊行物１、２、３として引用したもので、前記「第３、Ｃ、１」で記載したとおりである。
　　
　甲第２号証は、「マンホールの横穴と管渠間の継手構造」の発明であって、
　「【０００６】マンホール２の横穴３の口径よりもわずかに大きい外径を持つ大径部1aと、前記マンホール２の横穴３に嵌入するヒューム管等の管渠４の外径より少し小さい径の小径部1bとを有し、該大径部1aと小径部1bの間を一体のつなぎ材1cにて接続して断面形を倒置Ｕ形とするゴム輪１を大きさ別に多種において形成する。大径部1aは内側に保形性を持たせるために硬度90程度の高硬度ゴム層1dを一体または別体にて埋込み、平面視円形のマンホール２の横穴３の円曲に合わせて円曲形成し、さらに大径部1aはつなぎ材1c側の外側端部にマンホール２の横穴３の外縁に掛け止めるための鍔環1eを突設するとともに外面の非鍔環1e側の端部に先部を小径とするテーパー1fを外面に付している。なお1jは大径部1aと小径部1b間に形成されるＵ形間隙である。
【０００７】あらかじめヒューム管等の管渠４にゴム輪１を小径部1bを用いて嵌付けておいて該管渠４をマンホール２の横穴３に嵌込み、次いで嵌付けたゴム輪１を横穴３と管渠４間の輪形間隙Ｓに移動させて叩き込みなどの手段を用いて嵌込むのである。大径部1aの内側に高硬度ゴム層1dを設けたので、その保形作用により大径部1aは横穴３に圧接することとなる。嵌込み後大径部1aと小径部1b間のＵ形間隙1jにラテックスモルタル等の弾性シール材５を充填して閉塞し、さらに周囲をセメントモルタル６の充填にて埋めて、以ってマンホール２の横穴３と管渠４間を水密裡に閉塞し接続するようにしたのである。
【０００８】図４に示すように、マンホール２の横穴３と管渠４間の輪形間隙Ｓが管渠４の偏芯嵌入により広狭する部分が生じてもゴム輪１はＵ形間隙1jを有して、このＵ形間隙1jがつなぎ材1cの曲折を伴って広狭するために確実に輪形間隙Ｓを埋めることとなる。」（第４頁末行〜第５頁第２４行）が記載されている。
　　
　甲第３号証は、「マンホールの横穴と管渠間の継手用ゴム輪の構造」の発明であって、
　「【０００６】弓形に曲折したつなぎ材１を挟んで横長形の内側部片２と外側部片３とを一体に接続形成し、内，外両部片２，３の外面に水膨張性ゴム層または柔軟質のゴム層４，５を設け、且つ外側部片３の基側外面に突条６を突設し、先部外面に先細傾斜面７を設け、さらに外側部片３の中間部全長に間隔を置いて外側に突出する複数個の円曲膨出部８を設けた金属リング９を埋込みして、断面を倒置Ｕ形とするゴム輪10を形成する。
【０００７】該ゴム輪10を管渠11の端部外面に内側部片２側を圧接するようにして外嵌して後、マンホール12の横穴13に管渠11ごと圧入し、圧入完了の点で突条６をマンホール12の外面に接面するようにする。
【０００８】マンホール12の横穴13に対して管渠11が偏芯して圧入するときもつなぎ材１の各部分が偏芯度合に沿って大小に曲折して対応するために円滑に圧入して、外側部片３側を等しく横穴13の内面13aに圧接することとなる。この際外側部片３内に埋込みした金属リング９の張り圧が強く作用するとともに、外側に向いた複数個の円曲膨出部８の押圧により、横穴13の内面13aに対して外側部片３側は平面的な圧接から円曲膨出部８の部分がさらに強く押されて数条の線状において強く圧接することとなる。」（第５頁第３行〜第２１行）が記載されている。
　　
Ｃ　訂正後の本件請求項１及び３に係る発明と、甲第１号証〜甲第５号証に記載された発明との対比・判断
　訂正後の本件請求項１及び３に係る発明と、甲第１号証に記載された発明とを対比すると、前記「第３、Ｃ、２」で記載したとおり、訂正後の本件請求項１及び３に係る発明では、内筒４と外筒５とが「マンホール等の内部に向く側の端部で」結合されているパッキングの点を具備しているが、甲第１号証に記載された発明においては、この点についての開示がなく、示唆するところもない。
　そして訂正後の本件請求項１及び３に係る発明は、この点により明細書記載の所定の作用効果を奏するものと認められる。
　よって、訂正後の本件請求項１及び３に係る発明は、刊行物１に記載された発明であるとすることはできず、又、訂正後の本件請求項１及び３に係る発明は、甲第１号証に記載された発明に基いて、本件特許出願前に当業者が容易に発明をすることができた発明であるとすることもできない。
　次に、甲第２号証〜甲第５号証をみるに、甲第４、５号証については、前記「第３、Ｃ、２」で記載したとおりである。
　又、甲第２号証に記載された発明は、ゴム輪１の形状は似ているが、大径部１ａには高硬度ゴム層１ｄが埋込まれており、弾性シール材５を充填して接続するもので、支持リングで固定するものではない。
　又、甲第３号証に記載された発明も、つなぎ材１の形状は似ているが、外側部片３には金属リング９が埋込まれており、弾性シール材１５を充填して接続するもので、支持リングで固定するものではない。
　そして、全体として、訂正後の本件請求項１及び３に係る発明は、この点により明細書記載の所定の作用効果を奏するものと認められる。
　以上からみて、訂正後の本件請求項１及び３に係る発明は、甲第１号証〜甲第５号証に記載された発明に基いて本件特許出願前に当業者が容易に発明をすることができた発明であるとすることもできない。
　　
第５　むすび
　以上のとおりであるから、特許異議申立人の主張する理由及び提出した証拠方法によっては、訂正後の本件請求項１及び３に係る発明の特許を取り消すことはできず、また、他に訂正後の本件請求項１及び３に係る発明の特許を取り消すべき理由を発見しない。
　よって、結論のとおり決定する。
【異議決定日】
平成１２年９月４日（２０００．９．４）
【訂正の要旨】
　本件訂正は、特許請求の範囲の減縮を目的を目的として、及び、発明の詳細な説明の欄の明りょうでない記載の釈明を目的として、願書に添付された明細書の記載をＡ．及びＢ．のように訂正するものである。
Ａ．特許請求の範囲の欄
　【請求項１】〜【請求項３】を、特許請求の範囲の減縮を目的として、「【請求項１】導管を内装する内筒４とマンホール等の口部に圧着される外筒５とが同心円状で、かつ、マンホール等の内部に向く側の端部で結合されているゴム又は合成樹脂のパッキングと、該パッキングの内筒４と外筒５の間に挿入される切欠部を有する支持リング７とから成り、該支持リング７を拡開することによりパッキングの外筒５がマンホール等の口部３に固定されることを特徴とするマンホールと導管の接続などに用いる継手。
　【請求項２】一方の部材１３のねじ部１４が他方の部材１３に挿入されて結合している２つの部材１３，１３と、その部材の各々に存する外方に傾斜した脚部１６，１６とから成り、前記ねじ部１４に螺合したナット１５を廻すことにより、一対の脚部が左右方向に移動することを特徴とするマンホールと導管等の接続に用いる継手の圧着治具。
　【請求項３】パッキングの内筒４と外筒５との間に挿入されている切欠部８を有する支持リング７を拡開し、その切欠部８にくさび片１７を挟持させることにより、パッキングをマンホール等の口部に固定することを特徴とする請求項１記載のマンホールと導管の接続等に用いる継手。」に訂正する。
Ｂ．発明の詳細な説明の欄
　本件明細書の、　「【０００６】」の「同心円状に重合している内筒と外筒の両者が一方の端部で結合している」を、明りょうでない記載の釈明を目的として、「導管を内装する内筒とマンホール等の口部に圧着される外筒とが同心円状で、かつ、マンホール等の内部に向く側の端部で結合されている」に訂正する。
（５４）【発明の名称】
マンホールと導管の接続等に用いる継手及びその圧着治具
（５７）【特許請求の範囲】
　【請求項１】　
導管を内装する内筒４とマンホール等の口部に圧着される外筒５とが同心円状で、かつ、マンホール等の内部に向く側の端部で結合されている
　【請求項２】　一方の部材１３のねじ部１４が他方の部材１３に挿入されて結合している２つの部材１３，１３と、その部材の各々に存する外方に傾斜した脚部１６，１６とから成り、前記ねじ部１４に螺合したナット１５を廻すことにより、一対の脚部が左右方向に移動することを特徴とするマンホールと導管等の接続に用いる継手の圧着治具。
　【請求項３】　パッキングの内筒４と外筒５との間に挿入されている切欠部８を有する支持リング７を拡開し、その切欠部８にくさび片１７を挟持させることにより、パッキングをマンホール等の口部に固定することを特徴とする請求項１記載のマンホールと導管の接続等に用いる継手。
【発明の詳細な説明】
　　　【０００１】
　　　【産業上の利用分野】
　本発明は下水道用の導管とマンホール等をマンホールの口部を介して接続するのに際し、水密性を保持し、また、両者の一方又は双方が沈下、上昇した場合にも水密性を失わない継手に関するものである。
　また本発明は、パッキングをマンホール等の口部に固定する際に用いる圧着治具に関するものである。
　　　【０００２】
　　　【従来の技術】
　従来から存するこの種の継手には、図５に示すようなブーツジョイントと称するものがあり、これは導管２に結合される部分からマンホール等の口部３に接合される部分に向けて拡開する形状の継手であり、マンホールの口部３に取り付けるに際し金属性の特殊構造のバンドを用いるものである。
　　　【０００３】
　また、図６に示すものは、大きなつば部１７を有するもので、このつば部１７をマンホール等の壁面１８に接着剤を介して接着するものである。
　　　【０００４】
　　　【発明が解決しようとする課題】
　前述したブーツジョイントは、大きな可撓性を有する利点はあるが、導管の外径形と、マンホール等の口部の内径に大きな差ができるため、継手のマンホールの口部への固定に際し、特殊な構造の金属バンドを用い、その取付けには特殊ジャッキを必要とし、現場での施工が困難な欠点があり、他方のつば部を有する継手は、接着剤を用いるため、その結合に時間が掛かる欠点があり、また、剥離するおそれも存するものである。
　　　【０００５】
　本発明は、従来から存する前記の構造の継手の持つ水密性、可撓性を有し、しかも、現場での施工が簡単な継手を得ようとするものである。
　　　【０００６】
　　　【課題を解決するための手段】
　本発明は
導管を内装する内筒とマンホール等の口部に圧着される外筒とが同心円状で、かつ、マンホール等の内部に向く側の端部で結合されている
　　　【０００７】
　また、その支持リングの拡開には一方の部材１３のねじ部１４が他方の部材１３に挿入されて結合している２つの部材１３，１３と、その部材の各々に存する外方に傾斜した脚部１６，１６とから成り、前記ねじ部１４に螺合したナット１５を廻すことにより、一対の脚部が左右方向に移動する圧着治具を用いるものである。
　　　【０００８】
　　　【実施例】
　図１において、１はコンクリート製のマンホールであり、この実施例では複数個の部分を結合しており、導管２を結合するための口部３が存する。
　　　【０００９】
　本発明の継手は、図２に示すように、同心円状の内筒４と外筒５とから成り、内筒４は導管２の外径より僅かに大きい内径を有し、外筒５はマンホール１の口部３の内径よりも少し小さい外径を有し、内筒４と外筒５は一方の端部、即ちマンホールの口部３に挿入される端部６で結合されており、ゴムまたは合成樹脂で一体に成型されるものである。
　　　【００１０】
　７は支持リングであり、硬質の合成樹脂または金属から成る帯状のリングであり、切欠部８を有し、その切欠部８に近い両端部９，９には小孔１０，１０が設けられている。なお、この支持リングは、外筒５の内側に設けた溝に嵌め込まれていることが望ましい。
　　　【００１１】
　なお図中１１は外筒５の外側に設けた複数本の突状であって。マンホール１の口部３と外筒５の水密性を高めるものであり、内筒４の内側にはストッパーが設けてあり、これは導管２の位置を決めるためのものである。
　　　【００１２】
　圧着治具１２は図４に示す通り、２つの部材１３，１３の一方の部材のねじ部１４が他方の部材１３にねじ込まれており、ねじ部１４にはナット１５が螺合している。部材１３，１３には各々脚部１６が存し、この脚部１６，１６は左右方向に傾斜して設けられており、その先端は、前記支持リング７の小孔１０に嵌合するものである。
　　　【００１３】
　本発明の継手は、まず、マンホールの口部３に結合端部６から外筒５を挿入し、その挿入状態のまま内筒４をマンホールの内側に向けて押し開き、支持リング７を露出する状態とする。次いで、露出している支持リング７の両端部に存する小孔１０，１０に圧着治具１２の２つの部材１３，１３の脚部１６，１６の先端を挿入し、ねじ部１４のナット１５を右方の部材１３の方向に押圧すれば、一対の脚部１６，１６は拡開し、支持リング７も開いてパッキングの外筒５を拡げ、マンホールの口部３に圧着する。そして、この時、間隔の開いた切欠部８の間に予め用意された所定の幅のくさび片１７を挿入し、固定作業を完了する。そして再び内筒４をマンホールの外側に向けて引き戻した後、導管２を内筒４に挿入し、内筒４を外周から締付バンドで導管２に固定するものである。
　　　【００１４】
　　　【発明の効果】
　本発明は以上のような構造より成るので、内筒４と外筒５が同心円状に設けられており、その端部６が結合しているので、導管２とマンホールの口部３の位置に少しのずれが生じても、その水密性を保持することができると共に、その取付作業が、内筒４と外筒５の間に挿入されている支持リング７を拡関することにより行えるので、極めて簡単である。
　　　【００１５】
　また、圧着治具１２も２つの部材１３，１３の各々に存する脚部１６の先端を支持リング７の小孔１０に挿入し、ねじ部１４のナット１５を廻すのみの構造であるため、支持リング７の拡開、および外筒５のマンホールの口部３への圧着が簡単な工具で行うことができるものである。
【図面の簡単な説明】
　【図１】一部を切欠して示す全体の斜視図
　【図２】本発明の継手を導管とマンホールに用いた状態の断面図
　【図３】支持リングの一切を切欠して示す正面図
　【図４】圧着治具の正面図
　【図５】従来品の断面図
　【図６】他の従来品の断面図
　【符号の説明】
１　　マンホール
２　　導管
３　　口部
４　　内筒
５　　外筒
７　　支持リング
１０　小孔
１２　圧着治具
１３　部材
１４　ねじ部
１５　ナット
１６　脚部
１７　くさび片